(57)【特許請求の範囲】
【請求項１】
バナータグが含まれているサイトにユーザの端末が接続した場合、前記サイトに関連して前記端末に格納されているブラウザクッキーのバナータグ情報に基づいて前記バナータグとマッチングされた広告が前記サイトを介して表示されるかを判断する情報確認部と、
前記情報確認部で前記広告が表示されないものと判断された場合、前記ユーザの前記サイトに対する利用に制限を加えるサイト制御部と、を備え、
前記バナータグ情報は前記広告の表示要否に対する情報を含み、前記バナータグによって生成されて前記ブラウザクッキーに挿入されることを特徴とする広告遮断機能に対するフィルタリングシステム。
【請求項２】
前記情報確認部は、
ログプロセッシングでログデータを確認してサイトに接続したユーザの識別情報を検索するログプロセス部を備えることを特徴とする請求項１に記載の広告遮断機能に対するフィルタリングシステム。
【請求項３】
前記ログプロセス部は、サイトに接続したユーザのログデータを収集し、収集されたログデータに基づいて前記ユーザの識別情報を確認することを特徴とする請求項１に記載の広告遮断機能に対するフィルタリングシステム。
【請求項４】
前記ログデータは、ユーザの接続情報であるログイン情報および、前記ユーザがサイト接続に用いた接続アドレスであるマックアドレスや、ＩＰアドレスのうちの少なくとも１つを含むことを特徴とする請求項２に記載の広告遮断機能に対するフィルタリングシステム。
【請求項５】
前記ログプロセス部は、前記ユーザがサイト接続に用いた接続アドレスを前記ユーザの識別情報として用いることを特徴とする請求項２に記載の広告遮断機能に対するフィルタリングシステム。
【請求項６】
前記情報確認部が、前記広告が表示されないものと判断された場合、
前記表示確認部は、前記広告が表示されないものと判断された前記ユーザの識別情報をブラックリストデータベースに格納することを特徴とする請求項２に記載の広告遮断機能に対するフィルタリングシステム。
【請求項７】
前記ブラックリストデータベースに格納される識別情報は、前記ユーザがサイト接続に用いた接続アドレスを含むことを特徴とする請求項６に記載の広告遮断機能に対するフィルタリングシステム。
【請求項８】
前記ログプロセス部は、前記サイトに接続した前記ユーザの識別情報が前記ブラックリストデータベースに格納されているかを確認し、前記ユーザの識別情報が前記ブラックリストデータベースに格納されていれば、前記サイト制御部に前記ユーザのサイト利用を制限するように要求することを特徴とする請求項６に記載の広告遮断機能に対するフィルタリングシステム。
【請求項９】
バナータグが含まれているサイトにユーザの端末が接続した場合、前記サイトに関連して前記端末に格納されているブラウザクッキーのバナータグ情報に基づいて前記バナータグとマッチングされた広告が前記サイトを介して表示されるかを判断するステップと、
前記広告が表示されないものと判断された場合、前記ユーザの前記サイトに対する利用に制限を加えるステップと、
前記バナータグ情報は前記広告の表示要否に対する情報を含み、前記バナータグによって生成されて前記ブラウザクッキーに挿入されるステップと、を含むことを特徴とする広告遮断機能に対するフィルタリング方法。
【請求項１０】
前記ユーザを確認するステップは、
ログプロセッシングでログデータを確認してサイトに接続したユーザの識別情報を検索するステップを含むことを特徴とする請求項９に記載の広告遮断機能に対するフィルタリング方法。
【請求項１１】
サイト接続者のログデータを収集するステップをさらに含み、
前記ログデータを確認するステップは、前記ログデータを収集するステップで収集されたログデータに基づいて前記ユーザの識別情報を確認することを特徴とする請求項１０に記載の広告遮断機能に対するフィルタリング方法。
【請求項１２】
前記ログデータは、ユーザの接続情報であるログイン情報および、前記ユーザがサイト接続に用いた接続アドレスであるマックアドレスや、ＩＰアドレスのうちの少なくとも１つを含むことを特徴とする請求項１０に記載の広告遮断機能に対するフィルタリング方法。
【請求項１３】
前記識別情報を検索するステップは、前記ユーザがサイト接続に用いた接続アドレスを前記ユーザの識別情報として用いることを特徴とする請求項１０に記載の広告遮断機能に対するフィルタリング方法。
【請求項１４】
前記広告が表示されないものと判断された場合、広告を表示しないユーザのリストが格納されるブラックリストデータベースを保持するステップと、
前記広告の表示要否を判断するステップで前記広告が表示されないものと判断された前記ユーザの識別情報をブラックリストに追加するステップと、
をさらに含むことを特徴とする請求項１０に記載の広告遮断機能に対するフィルタリング方法。
【請求項１５】
前記ブラックリストに追加するステップで前記ブラックリストに追加される識別情報は、前記ユーザがサイト接続に用いた接続アドレスを含むことを特徴とする請求項１４に記載の広告遮断機能に対するフィルタリング方法。
【請求項１６】
前記ユーザの識別情報を検索するステップは、
前記サイトに接続した前記ユーザの識別情報が前記ブラックリストデータベースに格納されているかを確認するステップと、
前記ユーザの識別情報が前記ブラックリストデータベースに格納されていれば、前記ユーザのサイト利用を制限するステップと、
を含むことを特徴とする請求項１４に記載の広告遮断機能に対するフィルタリング方法。
【請求項１７】
請求項９〜１６のうちのいずれか一項の方法をコンピュータに実行させるためのプログラムを記録したコンピュータ読み取り可能な記録媒体。
【発明の詳細な説明】
【技術分野】
【０００１】
本発明は、広告遮断機能に対するフィルタリング方法およびその方法を実行するシステムに関する。
【背景技術】
【０００２】
従来では、オフライン上の広告掲示板を用いた広告やＴＶやラジオを利用してユーザに一方的に広告内容を提供する広告が主であったが、ネットワーク関連技術の発展に伴い、ネットワークを介してサイトに接続する場合に、表示されるコンテンツページの一部に広告内容を表示するオンライン広告が増加するようになった。
【０００３】
このようなオンライン広告の増加により、一部大型ネットワーク事業体では、自社のサイトに接続すれば表示されるコンテンツページに広告を表示することによって、広告主から提供される費用を用いてサイトに接続するユーザに無料で多様なサービスを提供し、このようなサービスを受けるためにユーザがサイトに接続する量が増加して広告効果が増大する相互利益となるシステムが用いられていた。
【０００４】
しかしながら、広告は、通常的にイメージまたは動画のように容量の大きい情報で形成されるため、ネットワーク回線が遅いユーザの場合には、広告によってコンテンツページに接続するための時間が遅延する実情にある。
【０００５】
したがって、広告の表示を望まないユーザが発生するようになり、このようなユーザのためのバナー遮断手段が開発された。
【０００６】
図１は、コンテンツページにバナー遮断手段を用いた場合の状態変化の一例である。
【０００７】
コンテンツページ１１０は、イメージアイコン１０１と、文章で形成されて表示される情報１０２のうちの少なくとも１つを含み、１つ以上の広告１０３がコンテンツページ１１０の一部に表示される。しかしながら、バナー遮断手段は、コンテンツページ１１０の設定において、広告１０３が表示されるように設定された部分を遮断することによって、広告１０３が表示されずにイメージアイコン１０１や情報１０２が、広告１０３が表示されていた場所に移動して表示される無広告コンテンツページ１２０が表示されるようにできる。
【０００８】
しかしながら、このようなバナー遮断手段を用いて広告を遮断するユーザが増加すれば、広告効果が減少するようになり、広告費用でコンテンツページを運営する大型ネットワーク事業体は収益が減少するようになるという問題点があった。
【０００９】
したがって、コンテンツページにおけるバナー遮断手段を防いだり、バナー遮断手段を用いるユーザに制限を加えたりできる方法が必要な実情にある。
【発明の概要】
【発明が解決しようとする課題】
【００１０】
本発明は、上述した問題点を解決するために案出されたものであって、コンテンツページにおけるバナー遮断手段の使用を抑制したり、バナー遮断手段を用いるユーザに制限を加えたりできる、広告システムを提供することを目的とする。
【課題を解決するための手段】
【００１１】
上述した目的を達成するために、本発明の実施形態に係る広告遮断機能に対するフィルタリングシステムは、バナータグが含まれているサイトにユーザの端末が接続した場合、前記サイトに関連して前記端末に格納されているブラウザクッキーのバナータグ情報に基づいて前記バナータグとマッチングされた広告が前記サイトを介して表示されるかを判断する情報確認部と、前記情報確認部で前記広告が表示されないものと判断された場合、前記ユーザの前記サイトに対する利用に制限を加えるサイト制御部とを備え、前記バナータグ情報は前記広告の表示要否に対する情報を含み、前記バナータグによって生成されて前記ブラウザクッキーに挿入される。
【００１２】
本発明の一側面によれば、前記情報確認部は、ログプロセッシングでログデータを確認してサイトに接続したユーザの識別情報を検索するログプロセス部を備えることができる。
【００１４】
本発明の一側面によれば、前記ログプロセス部は、サイトに接続したユーザのログデータを収集して前記ユーザの識別情報を確認することができる。
【００１５】
本発明の一側面によれば、前記情報確認部が、前記広告が表示されないものと判断された場合、前記表示確認部は、前記広告が表示されないものと判断された前記ユーザの識別情報をブラックリストデータベースに格納することができる。
【００１６】
本発明の一側面によれば、前記ログプロセス部は、前記サイトに接続した前記ユーザの識別情報が前記ブラックリストデータベースに格納されているかを確認し、前記ユーザの識別情報が前記ブラックリストデータベースに格納されていれば、前記サイト制御部に前記ユーザのサイト利用を制限するように要求することができる。
【００１７】
本発明の実施形態に係る広告遮断機能に対するフィルタリング方法は、バナータグが含まれているサイトにユーザの端末が接続した場合、前記サイトに関連して前記端末に格納されているブラウザクッキーのバナータグ情報に基づいて前記バナータグとマッチングされた広告が前記サイトを介して表示されるかを判断するステップと、前記広告が表示されないものと判断された場合、前記ユーザの前記サイトに対する利用に制限を加えるステップと、前記バナータグ情報は前記広告の表示要否に対する情報を含み、前記バナータグによって生成されて前記ブラウザクッキーに挿入されるステップと、を含む。
【発明の効果】
【００１８】
本発明によれば、コンテンツページに広告が表示されないようにするバナー遮断手段を用いるユーザを判別し、バナー遮断手段を用いるユーザによるコンテンツページの利用を制限することで、ユーザがバナー遮断手段を使用することを抑制できる。
【図面の簡単な説明】
【００１９】
【図１】コンテンツページにバナー遮断手段を用いた場合の状態変化の一例である。
【図２】本発明の実施形態に係る広告遮断機能に対するフィルタリングシステムの構成図である。
【図３】本発明の一実施形態によって広告遮断機能に対するフィルタリングシステムが提供するコンテンツページの状態変化の一例である。
【図４】本発明の一実施形態において、広告遮断機能に対するフィルタリング方法を示すフローチャートである。
【発明を実施するための形態】
【００２０】
以下、添付の図面を参照しながら、本発明に係る多様な実施形態について詳しく説明する。
【００２１】
図２は、本発明の実施形態に係る広告遮断機能に対するフィルタリングシステム２００の構成図である。
【００２２】
図２を参照し、広告遮断機能に対するフィルタリングシステム２００において、タグ制御部２０１が広告の表示要否に対する情報を含むバナータグ情報をブラウザクッキーに挿入し、ログプロセス部２０２がログプロセッシングでログデータを確認してサイトに接続したユーザの識別情報を検索し、表示確認部２０３がログデータに含まれたバナータグ情報に基づいて広告の表示の要否を判断する。このとき、表示確認部２０３は、広告が表示されないものと判断されたユーザ情報をブラックリストデータベース２０４に格納し、サイト制御部２０５が、広告が表示されないものと判断されたユーザのサイトの利用に制限を加えることができる。
【００２３】
このとき、タグ制御部２０１は、広告の表示要否を確認するバナータグと広告をマッチングし、バナータグがマッチングされた広告の表示要否に対する情報を含むバナータグ情報を生成し、バナータグ情報をブラウザクッキーに挿入することができる。このとき、広告はバナー広告とすることができる。
【００２４】
バナータグは、マッチングされた広告が表示されなければならないサイトにユーザが接続し、ユーザの端末機にコンテンツページ１１０が表示される状況でマッチングされた広告を表示する命令が実行されなければ、広告が表示されないものとして設定されたバナータグ情報を生成することができる。
【００２５】
このとき、ログプロセス部２０２は、サイトに接続したユーザのログデータを収集してユーザの識別情報を確認することができる。このとき、確認されるユーザの識別情報は、ユーザがサイト接続に用いた接続アドレスとすることができる。
【００２６】
このとき、ログデータは、ユーザの接続情報であるログイン情報および、ユーザがサイト接続に用いた接続アドレスであるマックアドレス（ＭＡＣ  ａｄｄｒｅｓｓ）や、ＩＰアドレスのうちの少なくとも１つを含むことができる。
【００２７】
このとき、ブラックリストデータベース２０４に格納される情報は、ユーザがサイト接続に用いた接続アドレスとすることができる。
【００２８】
このとき、ログプロセス部２０２は、サイトに接続したユーザの識別情報がブラックリストデータベース２０４に格納されているかを確認し、ユーザの識別情報がブラックリストデータベース２０４に格納されていれば、サイト制御部２０５にユーザのサイト利用を制限するように要求することができる。
【００２９】
このとき、サイト制御部２０５は、サイトに接続したユーザの選択によって特定機能やサービスをユーザに提供する構成で、表示確認部２０３によってブラックリストデータベース２０４に追加されたユーザやログプロセス部２０２で要求されたユーザがサイトの主要機能を使用できないように制約を加えることができる。このとき、主要機能の種類や数字は変更が可能であり、サイトで提供するサービスや機能をすべて使用できないように設定することも可能である。
【００３０】
図３は、本発明の一実施形態によって広告遮断機能に対するフィルタリングシステム２００が提供するコンテンツページの状態変化の一例である。
【００３１】
広告遮断機能に対するフィルタリングシステム２００が提供するコンテンツページ３１０は、コンテンツ実行アイコン３０１と１つ以上の広告３０２がコンテンツページ３１０の一部に表示される。
【００３２】
このとき、ユーザがコンテンツ実行アイコン３０１を選択すれば、サイト制御部２０５は、コンテンツ３０３が表示されるコンテンツ実行ページ３２０を表示することができる。
【００３３】
このとき、ユーザによってバナー遮断手段が用いられれば、コンテンツページ３１０は、コンテンツ実行アイコン３０１のみが表示される無広告コンテンツページ３３０に変化することができる。
【００３４】
このとき、無広告コンテンツページ３３０が表示されるブラウザクッキーに挿入されたバナータグ情報は広告表示なしとなり、それを確認した表示確認部２０３は、ユーザの接続アドレスをブラックリストデータベース２０４に追加し、サイト制御部２０５にユーザのサイト利用を制限するように要求するようになる。
【００３５】
このとき、無広告コンテンツページ３３０でユーザの利用が制限されたコンテンツ実行アイコン３０１を選択する場合に、サイト制御部２０５は、「広告が表示されないため使用不可能です」という意味が含まれた使用不可メッセージ３０４を表示し、コンテンツを実行しない警告ページ３４０を表示することができる。
【００３６】
図４は、本発明の一実施形態において、広告遮断機能に対するフィルタリング方法を示すフローチャートである。
【００３７】
ステップＳ４０１で、タグ制御部２０１は、広告の表示要否を確認するバナータグと広告をマッチングする。このとき、タグ制御部２０１がマッチングしたバナータグは、マッチングされた広告の表示要否に対する情報を含むバナータグ情報を生成する構成とすることができる。
【００３８】
ステップＳ４０２で、ログプロセス部２０２は、サイトを訪問するユーザのログデータを収集する。このとき、ログプロセス部２０２が収集するログデータには、ユーザの接続情報であるログイン情報および、ユーザがサイト接続に用いた接続アドレスであるマックアドレスや、ＩＰアドレスのうちの少なくとも１つが含まれるようになる。
【００３９】
ステップＳ４０３で、タグ制御部２０１は、バナータグが生成したバナータグ情報をブラウザクッキーに挿入する。このとき、バナータグは、サイトを訪問したユーザに表示されるコンテンツページでマッチングされた広告が表示される部分を確認し、広告を表示する部分に広告が表示されなければ、広告が表示されないものとして設定されたバナータグ情報を生成してブラウザクッキーに挿入することができる。
【００４０】
ステップＳ４０４で、ログプロセス部２０２は、ステップＳ４０２で収集したログデータに基づいてサイトに接続したユーザの識別情報を確認する。このとき、ログプロセス部２０２は、ログプロセッシングを用いてユーザの識別情報を検索することができる。
【００４１】
このとき、ログプロセス部２０２は、ユーザがサイト接続に用いた接続アドレスをユーザの識別情報として用いることができる。
【００４２】
ステップＳ４０５で、ログプロセス部２０２は、ステップＳ４０４で確認されたユーザの識別情報がブラックリストデータベース２０４に格納されているかを確認する。
【００４３】
このとき、ログプロセス部２０２は、ユーザの識別情報がブラックリストデータベース２０４に格納されていればステップＳ４０９に進み、サイト制御部２０５にユーザのサイト利用を制限するように要求することができる。
【００４４】
ステップＳ４０６で、表示確認部２０３は、ステップＳ４０３で挿入されたバナータグ情報に基づいて広告の表示の要否を判断する。
【００４５】
ステップＳ４０７で、ログプロセス部２０２は、ステップＳ４０６で広告が表示されたものと判断されたかを確認する。このとき、ステップＳ４０６で広告が表示されたものと判断されれば、ログプロセス部２０２は、サイト制御部２０５にユーザが制限なくサイトを利用できるように要求することができる。
【００４６】
ステップＳ４０８で、表示確認部２０３は、ステップＳ４０６で広告が表示されないものと判断されたユーザの識別情報をブラックリストに追加する。このとき、表示確認部２０３は、ユーザがサイト接続に用いた接続アドレスをブラックリストデータベース２０４に送信して格納するようにできる。
【００４７】
このとき、ログプロセス部２０２は、サイト制御部２０５にユーザのサイト利用を制限するように要求することができる。
【００４８】
ステップＳ４０９で、サイト制御部２０５は、ステップＳ４０５やステップＳ４０８によってブラックリストデータベース２０４に追加されたユーザのサイト利用を制限する。このとき、サイト制御部２０５は、ログプロセス部２０２の要求にしたがってユーザがサイトの主要機能を使用できないように制約を加えることができる。
【００４９】
このとき、サイト制御部２０５は、ユーザが、制約が加えられた機能を用いようとすれば、「広告が表示されないため使用不可能です」という意味を含む使用不可メッセージを表示して機能を実行しないようにできる。
【００５０】
このように、本発明の実施形態に係る広告システムは、コンテンツページに広告が表示されないようにするバナー遮断手段を用いるユーザを判別し、ユーザによるコンテンツページの利用を制限することで、ユーザによるバナー遮断手段の使用を抑制できる。
【００５１】
なお、上述の機能を実現する本実施形態の広告遮断フィルタリングシステム２００の各機能は、コンピュータ（ＣＰＵ等）が所定のプログラム命令を実行することで実現可能である。そのようなプログラム命令は、コンピュータ読取可能な記録媒体で提供されてもよい。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００５２】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００５３】
２００：広告遮断フィルタリングシステム
２０１：タグ制御部
２０２：ログプロセス部
２０３：表示確認部
２０４：ブラックリストデータベース
２０５：サイト制御部 
【図１】
0005405893.tif 000002
【図２】
0005405893.tif 000003
【図３】
0005405893.tif 000004
【図４】
0005405893.tif 000005